(57)【特許請求の範囲】
【請求項１】
一枚のネット状基材の略中央を境界として左右を一側と他側とに区分けして、その一側の表裏両面に剥離紙を有する両面テープを貼着するとともに他側の裏面にのみ剥離紙を有する両面テープを貼着し、この他側の頭皮への当接側となるその表面に細網目状のネット状部材を貼り付けた両面テープを貼着し、この他側の前記ネット状部材から前記剥離紙までの全体を貫通する自毛を引き出すための貫通孔を穿設し、全体が可撓性であることを特徴とする義毛固定具。
【請求項２】
一枚のネット状基材の略中央を境界として左右を一側と他側とに区分けして、その一側の表裏両面に剥離紙を有する両面テープを貼着するとともに他側の裏面にのみ剥離紙を有する両面テープを貼着し、この他側の頭皮への当接側となるその表面に細網目状のネット状部材を貼り付けた両面テープを貼着し、この他側のネット状部材から剥離紙までの全体を貫通する自毛を引き出すための貫通孔を穿設した義毛固定具により義毛を植設したかつらを頭部に固定するに際して、表裏両面に剥離紙を有する両面テープが貼着された一側の表面の剥離紙を剥がしかつら裏面の周縁部に貼着固定した後、その他側であって頭皮と当接する表面側より自毛を貫通孔を通して裏面側に引き出すとともに、該裏面を頭皮側に押圧しつつ、該裏面及び表裏両面に剥離紙を有する両面テープが貼り付けられた一側の裏面側の剥離紙を剥がし、これらを互いに貼着することによりかつらを頭部に固定することを特徴とする義毛固定具の使用方法。
【請求項３】
一枚のネット状基材と、該ネット状基材を表裏及び左右の４区分に区画した領域にそれぞれ貼着される両面テープと、各両面テープの表面に貼着される保護テープとからなるかつら固定具を用いて義毛が植設されているかつらを頭部に固定するための使用方法であって、前記４区分の領域を左側の表（Ｂ側とする）と、左側の裏（Ｄ側とする）と、右側の表（Ａ側とする）と、右側の裏（Ｃ側とする）とし、Ｂ側、Ｄ側、Ａ側、Ｃ側のそれぞれの両面テープ，保護テープをＢ１、Ｂ２、Ｄ１、Ｄ２、Ａ１、Ａ２及びＣ１、Ｃ２とし、まず、Ｂ側の保護テープＢ２を剥がしてＢ１を前記かつらの周縁部に貼着するとともに、Ａ側及びＣ側を前記かつらの内部側に向けて配置する第１の手順と、Ｂ１が貼着されているかつらの周縁部をめくり上げるとともに、折曲部から折り曲げてＡ側及びＣ側を頭皮側に位置させる第２の手順と、Ｃ側の保護テープＣ２を剥がし、前記頭皮の自毛をＡ側からＣ側へ貫通孔を通して引き出す第３の手順と、Ｃ側を押圧してＡ側を頭皮側に当接させるとともに引き出した自毛を軽く引っ張ることにより自毛の根元近くまでＣ側を押し下げる第４の手順と、前記Ｄ側の保護テープＤ２を剥がしてＤ１とＣ１との間で前記自毛を挟着する第５の手順を行うことを特徴とする義毛固定具の使用方法。
【請求項４】
一枚のネット状基材の略中央を境界として左右を一側と他側とに区分けして、その一側の表側に義毛を植設するとともにその裏面に剥離紙を有する両面テープを貼着し、他側の裏面に剥離紙を有する両面テープを貼着するとともに表面の頭皮への当接側となる側に細網目状のネット状部材を貼り付けた両面テープを貼着し、この他側のネット状部材から剥離紙までの全体を貫通する自毛を引き出すための貫通孔を穿設し、全体が可撓性であることを特徴とする義毛固定具。
【発明の詳細な説明】
技術分野
本発明は、義毛を植設したかつら若しくは義毛を束ねたつけ毛を頭部に取り付け固定するための義毛固定具及びその使用方法に関するものである。
背景技術
義毛が植え付けられているかつらや義毛を束ねたつけ毛を頭部に固定するための義毛固定具やその使用方法については従来より多くのものがあった。
例えば、義毛を植え付けたかつらを頭部に固定するものとしては、かつら裏面に取りつけた多数の櫛歯を有するストッパーに自毛を係止することによりかつらを固定するものや、接着剤をかつら若しくは頭部に塗布することにより固定する方法があった。
また最近では、かつらにスリット若しくは突起等を設けてそこから自毛を引き出し、スリット若しくは突起の引き出し口に接着剤を塗布してかつらを頭部に固定する方法も採用されている。
これら従来のかつらの固定方法のうち、ストッパ−を用いるものは、かつらの着脱が容易である点では優れているが、ストッパー自身に厚みがあることから、装着した感じが不自然であり、しかもストッパーが樹脂若しくは金属製であることから、頭皮に常に当接感を与えるので長時間の使用には不適当であり、しかも装着したままで寝た場合には、頭皮への刺激が強くなり、時には耐え難い傷みを伴う。さらに、自毛を櫛歯に係止することによりかつらを固定するものであることから、激しい運動をしたり長く装着した場合には、かつらがずれ、そのためストッパーに係止されている髪の毛が引っ張られ、使用者に不快感を与えるという欠点がある。
接着剤を用いるものにあっては、かつらが接着剤により固定されていることから、激しい運動によってもかつらがずれることは少なく、しかも装着したままで就寝しても頭皮に圧迫感を与えることがなく、装着した感じも自然である等多くの利点を有している。
しかしながら、その装着作業に際してかつらがずれ易いことから、その固定には熟練を要し、しかも装着に多くの時間を必要とする。さらに、接着剤を使用するため頭皮にかぶれや湿疹を起こし易く、さらにかつらを取り外す際に接着剤の除去に手間がかかるという問題がある。
本発明は、これらの問題点を解決するもので、かつらやつけ毛の装着固定が容易でその作業中にかつら等がずれることもなく、且つその頭部への固定強度も十分あり、頭部への接着剤の付着や残着もなくなり、それに伴う湿疹、かぶれ等のおそれがない安全でかつ衛生的な義毛固定具及びその使用方法を提供することを目的とする。
発明の開示
本発明は、以上の目的を達成するために、義毛が植設されているかつら若しくは義毛を束ねたつけ毛を頭部に固定するために使用する義毛固定具であって、該義毛固定具は一枚のネット状基材の略中央を境界として左右を一側と他側とに区分けして、その一側の表裏両面に剥離紙を有する両面テープを貼着するとともに他側の裏面にのみ剥離紙を有する両面テープを貼着し、この他側の頭皮への当接側となるその表面に細網目状のネット状部材を貼り付けた両面テープを貼着し、この他側の前記ネット状部材から前記剥離紙までの全体を貫通する自毛を引き出すための貫通孔を穿設し、全体が可撓性であることを特徴とする。
また、一枚のネット状基材の略中央を境界として左右を一側と他側とに区分けして、その一側の表裏両面に剥離紙を有する両面テープを貼着するとともに他側の裏面にのみ剥離紙を有する両面テープを貼着し、この他側の頭皮への当接側となるその表面に細網目状のネット状部材を貼り付けた両面テープを貼着し、この他側のネット状部材から剥離紙までの全体を貫通する自毛を引き出すための貫通孔を穿設した義毛固定具により義毛を植設したかつらを頭部に固定するに際して、表裏両面に剥離紙を有する両面テープが貼着された一側の表面の剥離紙を剥がしかつら裏面の周縁部に貼着固定した後、その他側であって頭皮と当接する表面側より自毛を貫通孔を通して裏面側に引き出すとともに、該裏面を頭皮側に押圧しつつ、該裏面及び表裏両面に剥離紙を有する両面テープが貼り付けられた一側の裏面側の剥離紙を剥がし、これらを互いに貼着することによりかつらを頭部に装着固定することを特徴とするものである。
【図面の簡単な説明】
第１図は、本発明の義毛固定具の平面図である。
第２図は、第１図のＡ−Ａ線の模式的断面図である。
第３図は、貫通孔を横線上に穿設した義毛固定具を示す平面図である。
第４図は、貫通孔を横スリット状に穿設した義毛固定具を示す平面図である。
第５図は、貫通孔を縦線状に穿設した義毛固定具を示す平面図である。
第６図は、貫通孔を縦スリット状に穿設した義毛固定具を示す平面図である。
第７図は、縦スリット状及び横スリット状の貫通孔を混合して穿設した義毛固定具を示す平面図である。
第８図は、本発明の義毛固定具とともに用いられる義毛を植設したかつらの概要構造を示す平面図である。
第９図は、第８図ののＢ−Ｂ線拡大断面図である。
第１０図〜第１５図は、本発明の義毛固定具を用いて頭部にかつらを装着するための義毛固定具の使用方法を説明するための拡大模式図である。
第１６図は、本発明による頭皮とかつらとの固着状態を示す一部拡大模式図である。
第１７図は、本発明による義毛固定具をつけ毛に使用した場合を示す全体斜視図である。
発明の実施をするための最良の形態
以下、本発明の義毛固定具とその使用方法の実施の形態を図面を参照しつつ説明する。
まず、本発明の義毛固定具により頭部に固定されるかつらの一例を第８図及び第９図により説明する。
かつら７はネット状部材８と可撓性帯状部材９とからなる。可撓性帯状部材９は頭皮１０のかつら装着位置の形状に見合う外輪郭を有する細幅の帯状の部材からなり、外輪郭とほぼ相似形の内輪部にはネット状部材８の外輪郭部が重合して貼着される。ネット状部材８及び可撓性帯状部材９には多数本の義毛１１、１１・・・が植設されている。
なお、図面においては、義毛１１と自毛１２とを区別するために義毛１１は点線で、自毛１２は実線で表示している。
以下に説明する義毛固定具１は、実際の使用においては可撓性帯状部材９の周縁部１３に適宜間隔で複数個貼着される。
義毛固定具１は、第１図に示すような方形であり、数１００μの極薄い部材からなる。
なお、説明の都合上、義毛固定具１を表裏左右にほぼ等面積の４区分の領域に区分けし、第２図に示すように、左側の表の領域をＢ側、左側の裏の領域をＤ側、右側の表の領域をＡ側、右側の裏の領域をＣ側とする。第２図は第１図のＡ−Ａ線断面を示すが、各構成部をわかり易くするため模式的に拡大表示している。
義毛固定具１は、一枚のネット状基材２と、そのＡ側、Ｂ側、Ｃ側、Ｄ側の夫々に貼着される両面テープ３と、両面テープ３の表面に貼着される保護テープ４とからなる。
なお、説明の都合上、Ａ側、Ｂ側、Ｃ側、Ｄ側の両面テープ３をそれぞれＡ１、Ｂ１、Ｃ１、Ｄ１とし、さらにＡ側、Ｂ側、Ｃ側、Ｄ側の保護テープ４をそれぞれＡ２、Ｂ２、Ｃ２、Ｄ２とする。
これら保護テープのうちＢ２、Ｃ２、Ｄ２は剥離紙からなり、Ａ側の保護テープＡ２は細網目のネット状部材からなる。
また、第２図において、Ｂ側がかつら７の周縁部１３に貼着されるものであり、Ａ側が頭皮１０側に位置し、さらにＣ側及びＤ側が互いに接着される。
以上の構造からなる義毛固定具１は、Ｂ側及びＤ側とＡ側及びＣ側との境界線を折曲部５として、折曲げ自在に形成される。
第１図及び第２図に示すように、Ａ側及びＣ側の頭皮１０側に向けて配置される部分には、例えば第１図こ示すような略十字形の貫通孔６を適宜数穿設、形成する。
この貫通孔６は自毛１２の通過可能な大きさとする。
なお、第１図で示している略十字形の貫通孔６は十字形を形成する各４辺において、自毛１２を挟持し得る形状，大きさのものが望ましい。
貫通孔６としては第１図に示した略十字形のものに限定されることはなく、自毛１２が通過し、かつ抜けにくい形状のものであればよい。
その形状として考えられるものを第３図〜第７図に示す。
第３図の義毛固定具１ａは横線状の貫通孔６ａを形成するものであり、第４図の義毛固定具１ｂは横に伸びるスリット状の貫通孔６ｂを形成するものである。
また、第５図の義毛固定具１ｃは縦線状の貫通孔６ｃを形成するものであり、第６図の義毛固定具１ｄは縦に伸びるスリット状の貫通孔６ｄを形成するものである。
さらに、第７図の義毛固定具１ｅの貫通孔６ｅは、これらのスリット状の貫通孔を適宜組み合わせたものである。
穿設される貫通孔は自毛１２が通過可能な大きさを有し、しかも自毛が抜けにくい形状のものであれば良いことから、必ずしも直線状のものである必要はなく、屈曲したもの、湾曲したものであってもよい。
次に、第１図，第２図に示した義毛固定具１を用いてかつら７を頭皮１０に固定するための方法について第１０図〜第１６図により説明する。
第１０図は、頭皮１０に対するかつら７の位置及び両者の間に取り付けられる義毛固定具１の配置関係を示している。
すなわち、かつら７は頭皮１０の所定位置にセットされる。義毛固定具１はかつら７の頭皮１０側の内面の周縁部１３に貼着される。この場合、図に示すように義毛固定具１のＢ側及びＡ側は周縁部１３に向けられ、Ｃ側とＤ側が頭皮１０側に向けられる。
第１０図に示した状態において、まず、Ｂ側の保護テープであるＢ２を剥がし第１１図に示すように接着面Ｂ１をかつら７の周縁部１３に貼着する。なお、Ｂ側以外の保護テープ４、即ち、Ａ２，Ｃ２，Ｄ２は貼り付けられたままとする。
以上が特許請求の範囲３に記載した第１の手順である。
次に、第１２図に示すように、かつら７の周縁部１３をめくり上げると、義毛固定具１は折曲部５から自然に折れ曲がり、Ａ側及びＣ側が頭皮１０側に位置することになる。
以上が特許請求の範囲３に記載した第２の手順である。
次に、第１３図に示すように、Ｃ側の保護テープであるＣ２を剥がすとともに、頭皮１０の自毛１２をＡ側からＣ側へ貫通孔６を通し、引き出す。
これが特許請求の範囲３の第３の手順である。
この貫通孔６からの自毛の引き出しは、鉤状の引き出し具を用いれば容易に行なうことができる。
次に、第１４図に示すように、Ｃ側を押しつけＡ側のＡ２を頭皮１０に密接させるとともに、自毛１２を軽く引っ張り、Ａ側が自毛１２の根本近くに確実に位置するようにする。
この場合、鋭利な細棒等を用いてＣ１側から貫通孔６を押し付ければ、自毛１２の引き出しをより確実に行なうことができる。
これが特許請求の範囲３の第４の手順である。
なお、この場合、頭部に残っている自毛１２が少なく多数本の自毛１２を引き出すことが難しい場合には、引き出した自毛１２のＣ１側の貫通孔６の付近に接着剤を極少量塗布すれば、義毛固定具１の頭皮１０への固定がより確実になる。
次に、Ｄ側の保護テープであるＤ２を剥がし、第１５図に示すようにＣ１とＤ１との間で自毛１２を挟みこんだ状態でＣ１とＤ１を接着する。
これにより義毛固定具１は自毛１２を介して頭皮１０に固定されることになる。
これが特許請求の範囲３の第５の手順に相当する。
以上により、かつら７は頭部に一体的に装着されることになる。
第１６図はその状態を模式的に拡大表示したものである。
第１６図に示すように、Ａ側は保護テープ４のＡ２が頭皮１０に当接するのみで、しかもＡ２は細網目のネット状部材であることから、頭皮１０は両面テープ３の接着剤が塗布された面であるＡ１とは直接接触しないので、頭皮１０に接着剤が付着したり、かつらを取り外した際に接着剤が頭皮１０に残ることがない。
したがって、接着剤による湿疹、かぶれが頭皮に発生するおそれがない。
さらに、かつら７と義毛固定具１とはＢ１によって確実に固着され、しかも自毛１２がＤ１とＣ１により挟んで固定されることから、固定されたかつらがずれることもない。
以上のように、本発明の義毛固定具を使用したかつらの装着は容易であり、しかも確実に行なうことができる。
なお、第１６図等では貫通孔６に１本の自毛１２を通したものを示したが、実際は多数本の自毛を通すことになる。
次に、かつら７の取り外しについて説明する。
まず、第１６図の状態からかつら７の周縁部１３を外方にめくり上げ、周縁部１３をＢ１から剥がすと、かつら７は頭皮１０より取り外される。
次に、義毛固定具１のＢ及びＤ側を外方に引っ張り、Ｄ１をＣ１から剥がすと、自毛１２の固定が解放される。
この状態で、義毛固定具１を頭部よりゆっくりと引き離し、義毛固定具１を頭皮１０より取り外す。
この義毛固定具１を頭皮より引き離す前に、市販の除光液を染み込ませた綿等により、自毛１２及びＣ１面を軽く叩くようにして除光液を浸透させた後、義毛固定具１の取り外し作業を行えば、粘着成分が自毛１２に付着したり、自毛１２がＣ１面に貼りついて抜けてしまうおそれがないばかりか、取り外しの際に自毛が引っ張られる不快感もなく、さらに短い時間に容易に取り外し作業を行うことができる。
前記したように、本発明の義毛固定具１の貫通孔６は、各種の形状のものとすることができる。
さらに、この貫通孔６の数及び形状は、性別及び年齢による自毛の太さ及び量等に応じて適宜変更すれば、使い勝手がよく、さらに安定したかつらの固定が可能となる。
以上においては、頭皮全面を覆うためのかつらの固定について説明したが、本発明に係る義毛固定具１は、第１７図に示すような髪の毛が部分的に薄くなった個所のみを覆う場合やファッションアクセサリーのようなつけ毛の固定部材としても使用することができる。
すなわち、義毛固定具１ａの頭皮当接面であるＡ側の貫通孔６から自毛１２を通し、その反対側であるＣ側に引き出した後、保護テープＣ２を剥がし、自毛を接着する。その際、自毛１２を軽く引っ張りながら、Ｃ面を頭皮側に押圧すれば、義毛固定具１ａは頭皮１０に確実に固定され、緩みやずれが生ずるのを未然に防ぐことができる。
引き出した自毛１２を義毛固定具１ａのＣ面上に確実に接着固定した後、多数の義毛１１を一側でまとめ、束ねた付け毛７ａをＣ面上に載置した後、Ｄ面の保護テープであるＤ２を剥がし、折曲部５から折り曲げ、Ｄ１及びＣ１を接着し、義毛固定具１ａと付け毛７ａを固定する。
この状態で、上方の自毛をＢ面上に垂らすとともに、櫛、ブラシ等により義毛固定具１ａ全体を覆い隠すようにして自毛を整え、つけ毛７ａの取付けを終わる。
このつけ毛１ａの取り付けは、義毛固定具１ａのＢ面上に取り付けることも可能である。
すなわち、義毛固定具１ａの頭皮当接面であるＡ側の貫通孔６から自毛１２を通し、その反対側であるＣ側に引き出した後、保護テープＣ２を剥がし、自毛を接着する。その際、自毛を軽く引っ張りながら、Ｃ面を頭皮側に押圧すれば、義毛固定具１ａは頭皮１０に確実に固定され、緩みやずれが生ずるのを未然に防ぐことができる。
引き出した自毛１２を義毛固定具１ａのＣ面上に確実に接着固定した後、保護テープＤ２を剥がし、さらにＤ側を折曲部５から折り曲げ、Ｄ１及びＣ１を接着し、義毛固定具１ａを頭皮１０に固定した後、Ｂ側の保護テープＢ２を剥がし、その面上に多数の義毛１１を一側でまとめ、束ねたつけ毛７ａを接着固定した後、上方の自毛をその上に垂らし、さらに、櫛、ブラシ等により自然な感じとなるように整えればよい。
なお、上記の実施例においては、義毛固定具１ａにつけ毛７ａを貼着したものを示したが、義毛固定具１ａのＢ面に義毛を直接植設することもできる。
さらに、義毛固定具１ａは、かつら固定具１と同様に数１００μの極薄い部材からなるので、鋏、カッターナイフ等により容易に任意の形状のものとすることができる。
したがって、髪の毛が部分的に薄くなった個所の形状に応じた形状とすることができるので、効果的に必要な部分の増毛が可能となる。
上記実施の形態の説明において義毛固定具として方形のものを示したが、その形状はこれに限定されるものではなく、円形、楕円形及び三角形等その使用箇所に応じて種々の形状とすることができることは勿論である。
産業上の利用可能性
以上の構成よりなる本発明に係る義毛固定具は、僅か数１００μの極薄片の可撓性の部材からなるものであることから、かつらと頭皮間にこれを介在させても違和感がなく、殆ど気にならないばかりか、装着したかつらの外観も極めて自然である。
しかも、その固定が２枚の両面テープの接着面により確実に為され、使用中に圧迫感や、引きつれ感を頭部に与えることがないので、長時間の使用にも耐えることができることから、装着したままの状態で就寝することもできる。
さらに、その固定が確実であることから、激しく頭部を動かしても、かつらが抜け落ちたり、ずれたりするおそれがないことから、使用者にかつら着用に際しての不安感を与えることがないばかりか、スポーツの際にわざわざこれを取り外す必要がない。
したがって、その装着を他人に知られる心配もない。
又、本発明の義毛固定具は、頭皮への当接面に接着剤を使用するものではないことから、頭皮に接着剤によるかぶれや湿疹が生じるおそれはなく、さらに頭皮から滲み出る汗や皮脂により接着力が低下するおそれもない。
このように、本発明においては接着剤は原則として使用しないが、貫通孔から引き出した自毛を確実に固定するために接着剤を使用したとしても、それは僅かであり、しかも頭皮に付着することはないので、接着剤が頭皮に悪影響を与えることはない。
又、このかつら固定具は粘着テープの表面が保護テープにより被覆されていることから、不使用時に粘着部が互いに貼りつくことがなく、その扱いが容易である。
さらに、両面テープに使用される接着剤として耐水性のものを使用した場合には、かつらを装着したままでの洗髪も可能となり、常に頭部を清潔に保持することができるので、かつら装着による掻痒感を与えることもない。
又、本発明による義毛固定具をつけ毛に使用した場合には、髪の毛の薄くなった部分を覆ったり、部分的な増毛を容易に行うことができる。
本発明における義毛固定具は、僅か数１００μの極薄片の可撓性の部材からなるものであることから、鋏やカッターナイフ等により必要に応じて適当な大きさや形状とすることができることから、かつら固定をより確実に行なえることができるばかりか、つけ毛固定具として使用した場合であっても髪の薄くなった個所を効果的に覆うことができる。
本発明の義毛固定具の使用方法によれば、該固定具は折り曲げ部を中心に折り曲げられ、自毛の貫通孔への挿入や引き出しを容易に行うことができるので、かつらの装着作業時にかつらを過度にめくり上げる必要がなく、装着時のかつらのずれを防止することができるので、その装着が容易であり、特別な熟練を要しない。
さらに、本発明においては装着したかつらの取り外しも容易である。
すなわち、その取り外しは、かつらの端部をめくり上げ、さらに互いに接着されている両面テープを剥がし、かつら固定具をゆっくりと持ち上げれば、自毛は貫通孔からすべり抜けるので、容易に取り外すことができる。
その際、自毛の固定に接着剤を使用している場合には、これをふき取るために除光液等を使用すれば、貫通孔からの自毛の通過はよりスムーズとなる。
【図１】
0003950485.tif 000002
【図２】
0003950485.tif 000003
【図３】
0003950485.tif 000004
【図４】
0003950485.tif 000005
【図５】
0003950485.tif 000006
【図６】
0003950485.tif 000007
【図７】
0003950485.tif 000008
【図８】
0003950485.tif 000009
【図９】
0003950485.tif 000010
【図１０】
0003950485.tif 000011
【図１１】
0003950485.tif 000012
【図１２】
0003950485.tif 000013
【図１３】
0003950485.tif 000014
【図１４】
0003950485.tif 000015
【図１５】
0003950485.tif 000016
【図１６】
0003950485.tif 000017
【図１７】
0003950485.tif 000018